(57)【要約】　　　（修正有）【課題】ポスタのような情報表示部材に設けられた必須ＯＲ／ＡＮＤ任意の情報がインプットされた情報記録素子の情報を読み取るリーダ機構及び当該情報を表示させる表示部からなる文字表示情報の読み取りシステムを提供する。【解決手段】ポスタのような情報表示部材と、該表示部材の情報部を読み取る移動体通信システムとよりなり、上記表示部材にはその情報の必須ＯＲ／ＡＮＤ任意の情報がインプットされた情報記録素子が設けられ、上記移動体通信システム本体には、上記記録素子に記録された情報を読み取るリーダ機構および当該情報を表示させる表示部が設けられている。【選択図】図１
2004129021.tif 000002
【特許請求の範囲】
【請求項１】
ポスタのような情報表示部材と、該表示部材の情報部を読み取る移動体通信システムとよりなり、
上記表示部材にはその情報の必須ＯＲ／ＡＮＤ任意の情報がインプットされた情報記録素子が設けられ、
上記移動体通信システム本体には、上記記録素子に記録された情報を読み取るリーダ機構および当該情報を表示させる表示部が設けられていること
を特徴とする文字表示情報の読み取りシステム
【請求項２】
上記請求項１に示す情報記録素子は、ＩＣチップＯＲ／ＡＮＤバーコードなど記憶手段であることが特徴の文字表示情報の読み取りシステム。
【請求項３】
上記請求項１に示す情報を読み取るリーダ機構に記憶された情報は、他の人が携帯する移動体通信システム　ＯＲ／ＡＮＤ　通信端末の機能を有するシステムに転送出来るように構成されていることを特徴とする文字表示情報の読み取りシステム。
【請求項４】
上記請求項１に示す情報を読み取るリーダ機構に記憶された情報は、構内情報通信網（ＬＡＮ）内から、ネット回線に接続することが出来るように構成されていることを特徴とする文字表示情報の読み取りシステム。
【請求項５】
上記請求項１乃至４に示す情報を読み取るリーダ機構に記憶された情報は、サーバシステムなどの記録媒体で記録できるようにしたことが特徴の文字表示情報の読み取りシステム。
【請求項６】
上記請求項１に示す情報記録素子は、文字による情報　ＯＲ／ＡＮＤ　音声による情報ＯＲ／ＡＮＤ画像による情報がインプットされていることが特徴の文字表示情報の読み取りシステム。
【請求項７】
上記請求項１に示す情報を読み取るリーダ機構に記憶された情報は、コピーできるようにしたことが特徴の文字表示情報の読み取りシステム。
【請求項８】
上記請求項１に示す、移動体通信システム本体の表示部に表示された情報は、その所望の箇所をワイドで表示することができる手段をもった文字表示情報の読み取りシステム。
【請求項９】
ポスタのような情報表示部材と、該表示部材の情報部を読み取る移動体通信システムとよりなり、
上記表示部材にはその情報の必須ＯＲ／ＡＮＤ任意の情報がインプットされた情報記録素子と、該情報記録素子が存在することのシグナル部材を有し、
上記移動体通信システム本体には、上記記録素子に記録された情報を読み取るリーダ機構および当該情報を表示させる表示部と、上記シグナル部材の検知手段が設けられていること
を特徴とする文字表示情報の読み取りシステム。
【請求項１０】
上記請求項９に示すシグナル部材は、音声によるシグナル，照明の点灯点滅によるシグナル，文字図形による表示のシグナルなどの単数あるいは複数の組合わせから選ばれること
を特徴とする文字表示情報の読み取りシステム。
【請求項１１】
上記請求項１に示す情報記録素子は、その情報が読み取られた数をカウントする機能を有することを特徴とした文字表示情報の読み取りシステム。
【請求項１２】
上記請求項１１においてカウントされたカウント数は、サーバシステムなどの記録媒体に記録できるようにしたことが特徴の文字表示情報の読み取りシステム。
【発明の詳細な説明】
【０００１】
【発明の属する技術分野】
本発明は、ポスタのような情報表示部材と、該表示部材の情報部を読み取る移動体通信システムに関し、特に上記表示部材に設けられた必須ＯＲ／ＡＮＤ任意の情報がインプットされた情報記録素子の情報を読み取るリーダ機構機構及び当該情報を表示させる表示部からなる文字表示情報の読み取りシステムに関する。
【０００２】
【従来の技術】
街の中で氾濫しているポスタのような文字表示情報には、仮令えば電話番号やＦＡＸ番号，インターネットに於けるＵＲＬやｅ−ｍａｉｌアドレスと言われる所謂ドメインの情報が記入されている。また駅の時刻表や温泉浴場における効能書きなど、生活において必要不可欠と思われる文字表示情報もある。
【０００３】
これらの情報を入手する際には、通常メモのような紙媒体と、それに記入をするためのボールペンのような記入手段が必要であった。また音声によってテープレコーダーのような音声記憶媒体に一時的に記録をしておき、後に利用する方法もあった。
【０００４】
更に地図が備えつけられている場合にはいちいち道路や建物物の区画を手入力で書き写さなくてはならず、後に画像情報を備える地図を作成する場合、撮影した画像情報と、緯度経度などの地理情報とを別々に準備し、その後結合，編集する必要があった。
【０００５】
これは何も地図に限った話ではなく、仮令えば、画像情報を備える商品カタログデータベースを作成する場合や医療カルテシステムなどを作成する場合、商品又は患部を撮影した画像と商品管理コード又は医療カルテデータとを別々に作成し、その後、結合、編集する必要があった。
【０００６】
しかしながらメモ書きで入手した情報は写し間違えや文字の汚さから生じる読みづらさの問題があり、正確かつ詳細な情報の収集には不十分なものであった。
【０００７】
更に音声による記録はその場でいちいち情報を読み上げる必要があり、それらを読み上げる際にやはり情報の読み間違えや雑音などで上手く情報を収集できないと言う点から、やはり正確かつ詳細な情報の収集には不十分なものであった。またこの場合にはいちいち音声記憶媒体を携帯する必要があり、これも煩雑なものであった。
【０００８】
【発明が解決しようとする課題】
そこで上記課題を解決するために、本発明はポスタのような情報表示部材と、該表示部材の情報部を読み取る移動体通信システムとよりなり、特に上記表示部材に設けられた必須ＯＲ／ＡＮＤ任意の情報がインプットされた情報記録素子の情報を読み取るリーダ機構及び当該情報を表示させる表示部からなる文字表示情報の読み取りシステムを提供することを目的とするものである。
【０００９】
かかる目的を達成するための本発明の好ましい実施態様では、該情報記録素子はＩＣチップＯＲ／ＡＮＤバーコードなど記憶手段であることが特徴の文字表示情報の読み取りシステム提供することをもその目的とするものである。
【００１０】
更に本発明の目的は、該リーダ機構に記憶された情報は、他の人が携帯する移動体通信システム　ＯＲ／ＡＮＤ　通信端末の機能を有するシステムに転送出来るように構成されていることを特徴とする文字表示情報の読み取りシステムを提唱することである。
【００１１】
更に本発明の目的は、該リーダ機構に記憶された情報は、構内情報通信網（ＬＡＮ）内から、ネット回線に接続することが出来るように構成されていることを特徴とする文字表示情報の読み取りシステムを提唱することである。
【００１２】
更に本発明の目的は該リーダ機構に記憶された情報は、サーバシステムなどの記録媒体で記録できるように構成されていることを特徴とする文字表示情報の読み取りシステム提唱することである。
【００１３】
更に本発明の目的は、該情報記録素子は、文字による情報　ＯＲ／ＡＮＤ　音声による情報ＯＲ／ＡＮＤ画像による情報がインプットされていることが特徴の文字表示情報の読み取りシステムを提唱することである。
【００１４】
更に本発明の目的は、該リーダ機構に記憶された情報は、コピーできるようにしたことが特徴の文字表示情報の読み取りシステムを提唱することである。
【００１５】
更に本発明の目的は、該移動体通信システム本体の表示部に表示された情報は、その所望の箇所をワイドで表示することができる手段をもった文字表示情報の読み取りシステムを提唱することである。
【００１６】
また本発明は上記課題を解決するために、該表示部材にはその情報の必須ＯＲ／ＡＮＤ任意の情報がインプットされた情報記録素子と該情報記録素子が存在することのシグナル部材を有し、上記移動体通信システム本体には、上記記録素子に記録された情報を読み取るリーダ機構および当該情報を表示させる表示部と、上記シグナル部材の検知手段が設けられていることを特徴とする文字表示情報の読み取りシステムを提供することを目的とするものである。
【００１７】
更に本発明の目的は、該シグナル部材は音声によるシグナル，照明の点灯点滅によるシグナル，文字図形による表示のシグナルなどの単数あるいは複数の組み合わせから選ばれることを特徴とする文字表示情報の読み取りシステムを提唱することである。
【００１８】
更に本発明の目的は、該情報記録素子は、その情報が読み取られた数をカウントする機能を有することを特徴とした文字表示情報の読み取りシステムを提唱することである。
【００１９】
更に本発明の目的は、上記のようにカウントされたカウント数は、サーバシステムなどの記録媒体に記録できるようにしたことが特徴の文字表示情報の読み取りシステムを提唱することである。
【００２０】
【課題を解決するための手段】
本発明の総合的な特徴は、少なくともＩＣチップＯＲ／ＡＮＤバーコードなどの情報記録素子が設けられたポスタのような情報表示部材と、上記表示部材に設けられた必須ＯＲ／ＡＮＤ任意の情報がインプットされた情報記録素子の情報を読み取るリーダ機構及び当該情報を表示させる表示部からなる移動体通信システムとよりなり、該情報記録素子に予めインプットされている仮令えば　バーコードやＩＣチップに記録された情報を、リーダ機構を用いて読み取る事が出来るようにしたことである。
【００２１】
また本発明の特徴は、該リーダ機構に記憶された情報は、他の人が携帯する移動体通信システム　ＯＲ／ＡＮＤ　通信端末の機能を有するシステム転送出来るように構成されていることを特徴とする文字表示情報を読み取ることが出来るように構成されていることである。
【００２２】
また本発明の特徴は、該リーダ機構に記憶された情報は、構内情報通信網（ＬＡＮ）内から、ネット回線に接続することが出来るように構成されていることを特徴とする文字表示情報を読み取ることが出来るように構成されていることである。
【００２３】
また本発明の特徴は、該リーダ機構に記憶された情報は、サーバシステムなどの記録媒体で記録できるように構成されていることである。
【００２４】
また本発明の特徴は、該情報記録素子は、文字による情報　ＯＲ／ＡＮＤ　音声による情報ＯＲ／ＡＮＤ画像による情報がインプットされていることである。
【００２５】
また本発明の特徴は、該リーダ機構に記憶された情報は、コピーできるように構成されていることである。
【００２６】
また本発明の特徴は、該移動体通信システム本体の表示部に表示された情報は、その所望の箇所をワイドで表示することができる手段をもったことである。
【００２７】
また本発明の特徴は、該表示部材にはその情報の必須ＯＲ／ＡＮＤ任意の情報がインプットされた情報記録素子と該情報記録素子が存在することのシグナル部材を有し、上記移動体通信システム本体には、上記記録素子に記録された情報を読み取るリーダ機構および当該情報を表示させる表示部と、上記シグナル部材の検知手段を設けるようにしたことである。
【００２８】
また本発明の特徴は、該シグナル部材は音声によるシグナル，照明の点灯点滅によるシグナル，文字図形による表示のシグナルなどの単数あるいは複数の組み合わせから選ばれるように構成されていることである。
【００２９】
また本発明の特徴は、該情報記録素子は、その情報が読み取られた数をカウントする機能を有するように構成されていることである。
【００３０】
また本発明の特徴は、上記のようにカウントされたカウント数は、サーバシステムなどの記録媒体に記録できるようににしたことである。
【００３１】
また本発明にはその他に優れた発明の目的、特徴、作用効果を有するがこれらは以下の実施例の説明で明らかにすることにする。
【００３２】
【発明の実施の形態】
以下図面に従って本発明の一実施例を説明するにあたって、大略この実施例はポスタのような情報表示部材（Ａ）と、移動体通信システム（Ｂ）とからなり、ポスタのような情報表示部材（Ａ）には必須ＯＲ／ＡＮＤ任意の情報（Ｇ）がインプットされた情報記録素子（Ｒ）が設けられ、該移動体通信システム本体（Ｂ）に設けられた上記記録素子（Ｒ）に予め記録された情報（Ｇ）を読み取るリーダ機構（Ｖ）を用いて各種情報の記録保存を行い、必要に応じてこの記録された任意の情報を検索し、移動体通信システム（Ｂ）に設けられている表示部（Ｅ）に出力させるようにしたものである。
【００３３】
ここで言うポスタのような情報表示部材（Ａ）には、必須ＯＲ／ＡＮＤ任意の情報（Ｇ）がインプットされた情報記録素子（Ｒ）が設けられているが、この一例としてはＩＣチップ（Ｓ）ＯＲ／ＡＮＤバーコード（Ｔ）などの記憶手段が挙げられる。
【００３４】
ここで言う情報記録素子（Ｒ）に記憶される必須ＯＲ／ＡＮＤ任意の情報（Ｇ）としては、仮令えば飲食店にあっては、店名，郵便番号，電話番号，ファックス番号，営業時間，ＵＲＬやメールアドレス（ドメイン）と言ったユーザに伝えたい各種情報をはじめ、店への道のりを記した地図や料理の写真などの画像情報、更に音声ガイドやバック・グランド・ミュージック（ＢＧＭ）などの音声情報などが挙げられる。
【００３５】
この発明の実施例で使用されるＩＣチップについてその一例を述べると、図１で（Ｓ）はＩＣチップ（集積回路）で、仮令えば１ｃｍ×１ｃｍ四方の極薄いフィルム状のものである。
【００３６】
即ちこの発明の実施例に用いられているＩＣチップ（Ｓ）にはマイコン（ＣＰＵ）が搭載されている。これはＩＣカードオペレーションシステム内蔵型であり、ＤＥＳ，ＲＳＡ，ＥＣＣなどの暗号処理ができ、１Ｋ〜１６ＫＢという豊富なメモリにて記憶容量が大きく、後述するリーダ機構間において暗号化命令にて交信及びロック可能である特徴を有している。
【００３７】
このＩＣチップ（Ｓ）の内部構成ブロック図の一例は図６の通りであるが、このＩＣチップ（Ｓ）は１３．５６ＭＨＺスタンダード（Ｓｔａｎｄａｒｄ）１４４４３で国際標準化（ＩＳＯ）されているのでその詳細は割愛するが、非接触の情報処理でもコンタクトであっても、接触と非接触の両方利用可能なコンビネーションＩＣカードと呼ばれるものである。
【００３８】
また勿論このＩＣチップ（Ｓ）はノーバッテリーであり、その書き込みは１００，０００サイクルで、通常後述するリーダ機構との通信距離は通常約１０ｃｍであるが、これらは任意に設定することが出来る。
【００３９】
而してこのＩＣチップ（Ｓ）には、少なくとも情報（Ｇ）の記憶を行う電子回路と、後述する移動体通信システム（Ｂ）に設けられたリーダ機構に対して情報（Ｇ）を信号として発信するための装置が入力されている。
【００４０】
交信にはコイル状のアンテナを用いる。本実施例を説明するのに用いたＩＣチップ（Ｓ）には該アンテナ（Ｕ）が内蔵されていて、電波にて電力の供給を行えるものを用いたが、現在市場にはＩＣチップ（Ｓ）にコイルを内蔵したものが多く出回っており、仮令えば図１３のようにコイル状のアンテナ（Ｕ）を情報表示部材（Ａ）に持たせたものでもよい。またＩＣチップ（Ｓ）及びアンテナ（Ｕ）の関係の一例は図７に図示した通りであるが、何もこれに限ったわけではない。
【００４１】
ＩＣチップ（Ｓ）への情報入力に必要な機器は在来の電子機器から種々選ばれるが、ここでは通常のパーソナルコンピュータを用いる場合を例にする。
【００４２】
まずパーソナルコンピュータの画面には図８のような初期画面（１０）が表示される。ここで発行（１１）をクリックすると図９の入力画面（１２）が表示されるので、画面の指示に従いながら電話番号やＦＡＸ番号等ユーザに伝えたい情報（Ｇ）を入力する。しかる後適宜欄への入力を全て終了した際には完了（１３）をクリックする。この結果、図１０の画面（１４）が表示されるのでＯＫ（１５）をクリックすると、図１１の画面（１６）となり〔ＩＣチップを発行しました。入力された情報を確認するにはリーダ付携帯電話を上のチップに近づけて下さい。〕の表示がなされる。必要に応じて画面の表示に従いその動作の確認をするとよいが、これは実施しなくても本発明は実施できる。かかる後ＯＫ（１７）をクリックすることで作業を終了させる。
【００４３】
このように入力されたＩＣチップ（Ｓ）のデータは公地の適宜リーダライタを用いてＩＣチップにデータ転送を行い、ＩＣチップ（Ｓ）へのデータ入力を完了させるものである。
【００４４】
なおこの実施例を説明するのに用いたＩＣチップ（Ｓ）のスペックの詳細の説明はここでは省略するが、ＣＰＵを内蔵し、ＥＥＰＲＯＭが１乃至１６Ｋ、ＲＯＭが６乃至２０Ｋ、ＲＡＭは全部利用が可能であり、オペレーティングシステムはＣＯＳである。
【００４５】
次にこの発明の実施例で使用されるバーコードについてその一例を述べると、図１で（Ｔ）はごく普通に一般的に用いられるバーコードである。
【００４６】
アメリカで開発されたコンピュータの簡単な入力方法であるバーコードは、ＰＯＳシステム，ＦＡシステムなどに応用され、さらに進化を続けていることは広く知られている。従来は１次元バーコードと呼ばれるバーコードが広く用いられてきたが、本発明では次世代型バーコードとして大容量の２次元バーコード（データマトリクス）の使用もその実施例の範疇として用いたものであり、図１４は２次元バーコードの実例を示したものである。
【００４７】
ここで２次元バーコードについてそのメリットを説明すると、
１．　　従来のものと比較して、より小さいスペースに印刷が行える。具体的には２次元バーコードにおいては、１次元バーコードの最大４５分の１以下に高密度化して表現することができるもので、縦横２ミリ角の大きさに１６ケタ程度の情報を入れることが十分に可能なものである。
【００４８】
２．　　情報（データ）量を多く入れる（コード化する）ことが出来る。具体的には２次元バーコードのほとんどが２，０００バイト以上の容量をもっているので、写真や地図画像なども簡単に保存することが出来る。
【００４９】
３．　　誤り訂正機能が含まれている。誤り訂正とは、２次元バーコードに特別な数学的手法による復元機能を持たせることで、印刷精度の悪いもの、バーコードの一部が破損したものなどを正常に読み取ることができるものである。
【００５０】
４．　　１次元バーコードにおいてはアルファベット，数字，特殊な記号（＄など）が使用できたが、２次元バーコードでは、これらに加えて日本語（漢字、ひらがな、カタカナ）も使用できるようになった。
【００５１】
５．　　１次元バーコードでは横方向に情報（データ）を持たせており、縦方向には情報を持たせる事が出来なかったが、２次元バーコードでは縦方向にも情報を持たせることによって、２次元バーコードリーダーは、ＣＣＤエリアセンサーが使用されている場合が多くなった。このことにより２次元バーコードリーダーは、１次元、２次元のバーコードを３６０度の方向からでも読取可能になった。
【００５２】
なおこの２次元バーコードにはスタック式トマトリックス式の２種類がある。スタック式のバーコードは、１次元のバーコードを縦に細かく積み重ねたものであり、その種類としてはスーパーコード、ＰＤＦ４１７，ＣＯＤＥ−４９，ＣＯＤＥ−１６Ｋなどが挙げられる。
【００５３】
一方マトリックス式のバーコードは、情報（データ）を白黒のます目（セル）で縦横のモザイク状に表現したもので、データマトリックスコード（データコード），マキシコード，ＱＲコードなどがある。
【００５４】
本発明においてバーコードを用いる場合にはこれらの種類のバーコードを個別に用いることは勿論、１次元バーコードと２次元バーコードとを併用して用いたり、２次元バーコードに移行したりと、そのケース毎に応じて使い分けて用いるとよい。
【００５５】
なおここで言う情報表示部材（Ａ）とは、仮令えば駅や道路，待合室やロビー等に掲載されている普通のポスタ類は勿論、建造物の屋上や壁面に設けられている広告看板類、駅やバス停に掲載されている時刻表、温泉で記載されている効能書き、新聞や雑誌等に代表されるの紙媒体広告，絵葉書，名刺，街頭のちらし，ティッシュなどのＯＥＭ商品，車内の中吊り広告など商品の販売や役務の提供の為の情報媒体などユーザに対して視覚的に訴える事が出来るものであれば何でもよい。
【００５６】
また所謂捨て看板や、薬局の前に置かれている各種の動物などを模した人形や、飲食店等の前に置かれている創業者を模したマスコット的存在の人形など立体的広告物のようなものでも構わない。
【００５７】
今具体的に画像を画像情報として取り込む一連の過程を説明すると、図１，図３及び図５は移動体通信システム（Ｂ）に設けられた衆知のリーダ機構（Ｖ）を用いて撮像する動きを上方から下方へ経時的に示したものである。
【００５８】
図１で今ユーザが取り込みたいと考えている情報表示部材（Ａ）あったとして、まずユーザは図２に示す様な移動体通信システム（Ｂ）に設けられた衆知のリーダ機構（Ｖ）を、情報表示部材（Ａ）の適宜位置に設けられた必須ＯＲ／ＡＮＤ任意の情報（Ｇ）がインプットされた情報記録素子（Ｒ）に対して向けることで、狙いを定める。
【００５９】
しかる後移動体通信システム（Ｂ）に設けられた所定のスイッチボタン（１）を押すことで読み取りを開始（２）する。この時移動体通信システム（Ｂ）に設けられた表示部（Ｅ）に取り込んだ情報（Ｇ）を出力させながら読み取る（３）とよい。またこの時読み取った情報が不完全であった場合には、移動体通信システム（Ｂ）に設けられた表示部（Ｅ）に『情報が無い』旨の表示（４）がされるので、再度スタートボタン（１）を押して読み取り（３）をすることになる。
【００６０】
しかる後完全に読み取り（３）が完了した場合には、移動体通信システム（Ｂ）に設けられた表示部（Ｅ）に『記録済み』の旨が表示（５）がされるので、移動体通信システム（Ｂ）に設けられたメモリに記録されたことを確認し、撮像は終了（６）となる。
【００６１】
またこの場合複数の読み取り（３）を行いたい場合には、この作業を複数回繰り返すことによって、作業を完了させることとなる。
【００６２】
このようにして読み取られた情報（Ｇ）は、大きく文字情報（７），画像情報（８），音声情報（９）に分けられる。
【００６３】
文字情報（７）はファイルの保存形式として、通常ＨＴＭＬ形式で取り扱われる。ＨＴＭＬはＨｙｐｅｒ　Ｔｅｘｔ　Ｍａｒｋｕｐ　Ｌａｎｇｕａｇｅの略で、ＳＧＭＬのＤＴＤのひとつとされるものである。ＳＧＭＬ（Ｓｔａｎｄａｒｄ　Ｇｅｎｅｒａｌｉｚｅｄ　Ｍａｒｋｕｐ　Ｌａｎｇｕａｇｅ）と言うのは、文章に「タグ」と呼ばれる文章の性格（論理的な意味合い）を表す記号を付けて記述する方法を定めた標準のことで、そのタグの種類を定めたものをＤＴＤ（Ｄｏｃｕｍｅｎｔ　Ｔｙｐｅ　Ｄｅｆｉｎｉｔｉｏｎ）と言いますが、ＨＴＭＬはこれのひとつとして数えられているものである。
【００６４】
ＨＴＭＬはネットワークでつながった世界中の文書を関連づけ、それを有益な情報としてコンピュータで分析できるようにする役割を持っているもので、仮令コンピュータの環境が異なっても誰もが情報を共有できるようにするために、環境に依存する文字の指定方法ではなく、「見出し」という意味上の位置付けだけを情報として加えておいて、ソフトウェアが読者の環境に合わせて表示する方法として考えられたものである。
【００６５】
ＨＴＭＬを用いるメリットは後述する目の不自由な方に用いる音声合成ソフトでページを「読み上げ」る場合にも、その設定を容易にするメリットがあるものである。
【００６６】
こうして読み取り（３）された文字情報（７）は通常は任意の名前を与えるか、或いは自動的に名前が附されるようにプログラムされ管理されるものであるが、この管理の方法については後述する。
【００６７】
更に加えるのであれば、一時的にはＨＴＭＬというファイル形式の文字情報（７）として認識されるが、Ｍｉｃｒｏｓｏｆｔ（登録商標）社から提供されているオペレーティングシステムＷｉｎｄｏｗｓ（登録商標）上で仮令えばｗｏｒｄなど市販のアプリケーションソフトウェアを使用することで所定のテキスト情報やその他任意の各種ファイルの形式として再保存することも出来るのである。
【００６８】
また画像情報（８）は一般にＪＰＥＧ形式として取り扱われる。ＪＰＥＧ（ジェーペグ）とは写真など自然を対象とした効率的な記録形式で、画像品質（画質）を維持しながらファイルの大きさやインターネットでの伝送時間を圧縮できるものであり、通常は任意の名前を与えるか、或いは自動的に名前が附されるようにプログラムされ管理されるものであるが、この管理の方法については後述する。
【００６９】
更に加えるのであれば、一時的にはＪＰＥＧというファイル形式の画像情報として認識されるが、Ｍｉｃｒｏｓｏｆｔ（登録商標）社から提供されているオペレーティングシステムＷｉｎｄｏｗｓ（登録商標）上で任意の市販のアプリケーションソフトウェアを使用することで所定のテキスト情報や、仮令えばＧＩＦやＢＭＰ，サムネイル画像情報を付加した画像の場合はＥｘｉｆ形式として再保存することも出来るのである。
【００７０】
また音声情報（９）の保存は従来Ｗｉｎｄｏｗｓ（登録商標）においてはＷＡＶ形式がデジタルでの音声記録の最もポピュラーかつ一般的な形式であった。ＷＡＶ形式の長所としては動作が軽い事や、デジタルの音声ファイルの中で一番原音に近い事が挙げられるが、その反面音楽などの長い音声を記録しようとするとハードディスクの殆どの領域をくってしまうと言う欠点があった。そこで本発明を説明するに当たってはＭＰ３（ＭＰ３＝ＭＰＥＧ　Ａｕｄｉｏ　Ｌａｙｅｒ−３）を想定した。即ちＭＰ３は、
１．　　ＣＤに匹敵する音質でありながらにしてデータサイズが小さいので非常に扱いやすい。
【００７１】
２．　　従来規格と違っての、ネットで取引が出来る
３．　　ポータブルプレイヤーによって音楽データを持ち運べる。
【００７２】
などの利点が挙げられる。
【００７３】
こうして読み取り（３）された音声情報（９）は通常は任意の名前を与えるか、或いは自動的に名前が附されるようにプログラムされ管理されるものであるが、この管理の方法については後述する。
【００７４】
なおこのように読み取りを完了した文字情報（７），画像情報（８）などの情報（Ｇ）は移動体通信システム（Ｂ）に設けられた表示部（Ｅ）に出力して確認をするのであるが、図４で図示したように、ユーザが出力する際に所望の箇所をワイド（Ｗ）で表示することができるようにしておくとよい。
【００７５】
こうして取り込まれた文字情報（７），画像情報（８），音声情報（９）の情報（Ｇ）は、図３及び図５に図示するように他の人が携帯する移動体通信システム（Ｂ）ＯＲ／ＡＮＤ　通信端末の機能を有するシステム（Ｆ）に転送出来るように構成されている。
【００７６】
最初に他の人が携帯する移動体通信システム（Ｂ）ＯＲ／ＡＮＤ　通信端末の機能を有するシステム（Ｆ）に移動体通信システム（Ｂ）を用いて転送する方法について説明する。
【００７７】
リーダ機構（Ｖ）を備えた移動体通信システム（Ｂ）を用いて情報表示部材（Ａ）に設けられた必須ＯＲ／ＡＮＤ任意の情報（Ｇ）を読取り（３）した場合、取り込まれた文字情報（７），画像情報（８），音声情報（９）の情報（Ｇ）は一時的ＡＮＤ／ＯＲに恒久的に移動体通信システム（Ｂ）の通常メモリと呼ばれる記録手段（Ｄ）で保存される。その際には移動体通信システム（Ｂ）内のプログラムによってそれぞれの情報（Ｇ）には重複しないファイル名が自動作成されるが、任意で情報を記入して管理する場合には、予め備えつけられた既存のテンキー用いてテキスト情報を入力すると良い。
【００７８】
そして公知の携帯電話手段を用いて文字情報（７），画像情報（８），音声情報（９）の情報（Ｇ）を任意の通信端末の機能を有するシステムに転送することで、仮令えば住所や電話番号と言った文字情報（７）が、地図や写真と言った画像情報（８）が、或いは音楽や音声ガイドと言った音声情報（９）を他の人が携帯する移動体通信システム（Ｂ）に転送する事が出来るのである。
【００７９】
公知の携帯電話手段としては、ここではＰＤＣ方式とＣＤＭＡ方式を考慮したが、この方式は日本及び韓国に於いてのみ用いられる方式であり、世界的見地では特殊な方に入るものである。ヨーロッパやアフリカ、アジア、オセアニアの国々ではＧＭＳという形式が一般的であり、アメリカではデジタル式とアナログ式が混在しているうえに、使用周波数帯も複数のものが採用されているためにそれぞれの状態に応じてデータ通信の手段を考慮する必要がある。いずれにせよその地域に併せて一番相応しい手段を選択すればよく、いずれを選択した場合においても本発明を実施するに当たっては何ら支障はない。
【００８０】
次いでパソコンを用いて他の人が所有する通信端末の機能を有するシステム（Ｆ）に転送する方法について説明する。
【００８１】
まず情報表示部材（Ａ）に設けられた必須ＯＲ／ＡＮＤ任意の情報（Ｇ）を読取り（３）した場合、それら情報（Ｇ）は移動体通信システム（Ｂ）に設けられた通常メモリと呼ばれる記録手段（Ｄ）に保存される。そして図３で示すように本発明では構内情報通信網（ＬＡＮ）内から、ネット回線に接続することが出来るように構成されているので、この情報を有線乃至無線のＬＡＮＯＲ／ＡＮＤスタンドアロンを含むネット回線或いはインターネットを介して、サーバ（Ｈ）或いは任意のＰＣ（Ｉ）に転送させる。
【００８２】
こうしてＰＣ（Ｉ）に転送された情報（Ｇ）はＰＣ（Ｉ）内のプログラムによって重複しないファイル名が自動作成されるが、勿論、Ｍｉｃｒｏｓｏｆｔ（登録商標）社から提供されているオペレーティングシステムＷｉｎｄｏｗｓ（登録商標）上で任意の市販のアプリケーションソフトウェアを用いて所定のテキスト情報を加えたり、再編集を行ったり、一括集中管理及び加工を行ったりする事が出来る。
【００８３】
図１２はＰＣ（Ｉ）上に表示されるメニュー画面（Ｘ）であり、取り込んだ情報（Ｇ）を履歴表示として一覧形式にしたものであり、コンピュータに包含される代表的なデータ及び整理番号など任意のデータワード（Ｐ）を表示させたものである。これは視覚的に認識できるシェル構造が好ましい。更に図示したようにファイルの種類も表示させるとよい。このように複数種類のファイルを一括して管理する場合には、図示したようにファイルの形式をアイコン（Ｙ）で表示させ、記号の意味はボタン（１８）をクリックすることによって確認できるようにプログラムを作成しておくとよい。
【００８４】
これらのファイルには特にここでは図示しないが、仮令えば整理番号，日時，場所，ファイル名，ファイルの種類，ユーザ名，天候，順番など入力したい代表的な任意のデータを加えることが出来る。またこの場合の入力手段としては既存の入力キーボードを用いるとよい。
【００８５】
更にここでは特に図示しないが、一覧表示させたリストを、ファイル名等の各カテゴリについて昇順又は降順でソートすることができたり、表示された画像については、拡張子に関連づけられているアプリケーションソフトウェアを使用してリスト画面から直接見ることができるようにしたりしておくとよい。
【００８６】
こうして加工及び一括集中管理が終了した各種情報（Ｇ）は、仮令えば公知の電子メール手段を用いて、同機能を有するＰＣに転送することで、仮令えば住所や電話番号と言った文字情報（７）が、地図や写真と言った画像情報（８）が、或いは音楽や音声ガイドと言った音声情報（９）を転送する事が出来るのである。
【００８７】
公知の電子メール手段としては、メーラー（メールのツール）のＳＭＴＰサーバに指定されているマシンのｓｅｎｄｍａｉｌというプログラムにメールのデータを渡し、ここからメールは宛先のホストに届けられ、そのホストのスプールに蓄えられるものが一般的である。ｓｅｎｄｍａｉｌでは宛先アドレスが自分のホストである場合には、
１．　　ユーザ名がエイリアス（別名）であるか確認し、そうであれば書き換えて、そのメールを処理し直す
２．　　ユーザ名がそのホストのユーザ名であれば、そのユーザのメールのスプールにそのメールを追加する
の操作を行う。
【００８８】
また、宛先アドレスが自分のホストでない場合には、
１．　　ｓｅｎｄｍａｉｌ．ｃｆを確認して、このメールの宛先に関する特別な処理が指定されていたら、それに従って処理する
２．　　上に該当しなければ、ＤＮＳを用いてメールアドレスのホスト名のＭＸレコードを引いて、そこで得たホストにメールを転送する
の操作が行われる。
【００８９】
このスプールに蓄えられたメールを受信する際に用いられるのがＰＯＰ３サーバであり、これはＩＭＡＰ４サーバ用いることでも代用できるものである。ＰＯＰ３サーバは、パソコンの接続サービスを提供しているプロバイダはサーバに届いたメールをサーバのディスクに蓄えておく為のものであり、受信者が取りに来た時にそれを渡すようにしているものである。またＩＭＡＰ４サーバを用いれば、同じ情報を複数コピーして記憶容量の無駄にすることを避けることができ、またサーバで必要な情報を探し、必要な部分だけを取り出すことができるが、基本的にはＰＯＰ３サーバと同様の働きを行い、本発明の実施に当たってはどちらのシステムを用いても構わない。
【００９０】
またインターネットの代わりに有線乃至無線のＬＡＮａｎｄ／ｏｒスタンドアロンを含むネット回線を用いても本発明を実施できることは勿論である。
【００９１】
こうして図３に図示したようにＰＣ（Ｉ）上或いはサーバ（Ｈ）に蓄積されたデジタル画像情報（Ｇ）は、パソコンと接続されたプリンタから出力されるＰ．Ｐ．に限らず、携帯型記憶媒体であるＦＤやＭＤやＤＶＤなどの各種記録媒体に仮令えば住所や電話番号と言った文字情報（７），地図や写真と言った画像情報（８），或いは音楽や音声ガイドと言った音声情報（９）をコピーできるのである。
【００９２】
更に本システムを利用してコピーする際に、各種情報（Ｇ）に必要な情報を加入したり、加工したりして、商品画像のデータベースを構築することも可能である。
【００９３】
具体的には画像情報を備える商品カタログデータベースを作成する場合や医療カルテシステムなどを作成する場合、商品又は患部を撮影した画像と商品管理コード又は医療カルテデータとをＭｉｃｒｏｓｏｆｔ（登録商標）社から提供されているオペレーティングシステムＷｉｎｄｏｗｓ（登録商標）上でアプリケーションソフトウェアを稼働させる事で同時に行うことが出来、従来のような別々に作成し、その後の結合，編集する必要はなくなったのである。
【００９４】
図３でも図示したように、本発明においては視覚障害者用に文字情報を読み上げることもその特許請求の範囲に包号されているものである。
【００９５】
最後にこの視覚障害者用の「読み上げ」機能について説明すると、これには既存の仮令えば日本ＩＢＭ社発売のスクリーン・リーダー（読み上げソフトウェア）『ＪＡＷＳ　ｆｏｒ　Ｗｉｎｄｏｗｓ　Ｖ３．７』が挙げられる。
【００９６】
このソフトの特徴としては、
１．　　操作を必要とするダイアログボックスでは、タイトルの読み上げ、操作項目の状態の読み上げ、操作項目のヘルプの読み上げが可能である。
【００９７】
２．　　スクリプトによるアプリケーションの音声化を図ることが出来た。これは画面の表示内容の読み上げ方や、キーボードからの入力その他の操作に対応した音声ガイドの形式などを記述しておくもので、一種のプログラムのようなものである。またスクリプトの利用法としては、
▲１▼　　　　仮令えばメモ帳など通常のアプリケーションを操作する際に利用するデフォルト・スクリプト
▲２▼　　　　仮令えばｗｏｒｄに代表されるワープロソフト、Ｅｘｃｅｌに代表される表計算ソフト、メールソフト、ブラウザなどを使用する際、デフォルト・スクリプトとともに利用しする専用スクリプト
▲３▼　　　　会社などで業務用アプリケーションを使用するために、ユーザがスクリプト・マネージャーを使用して新規にスクリプトを作成ための新規のスクリプト
が挙げられるが、本発明を実施するに当たってはこれに準ずる機能を有するソフトであれば何でも構わない。
【００９８】
またこうしたポスタのような情報表示部材（Ａ）には、該情報記録素子（Ｒ）が存在することを知らせるためのシグナル部材（Ｚ）を設けるとよい。これにより健常者はもとより、障害者に対しても情報表示部材（Ａ）の存在を認識させることが出来るのである。このシグナル部材の例としては、音声によるシグナル，照明の点灯点滅によるシグナル，文字図形による表示のシグナルなどが挙げられ、これを任意で単数あるいは複数の組み合わせから選び出して用いるとよい。
【００９９】
また上記移動体通信システム本体（Ｂ）には、上記記録素子（Ｒ）に記録された情報を読み取るリーダ機構（Ｖ）および当該情報を表示させる表示部（Ｅ）と、上記シグナル部材（Ｚ）の検知手段（Ｑ）が設けるとよい。検知手段（Ｑ）は仮令えば衛星トランスポンダによる電気通信を用いたものなど、遠隔からシグナル部材（Ｚ）の存在が検知できるものなら何でもよい。
【０１００】
さらに公知の手段で該情報記録素子（Ｒ）から読み取られた情報数をカウントする機能を有すること、カウントされたカウント数は、サーバシステムなどの記録媒体に記録できるようにしたことも、本発明の特許請求の及ぶ範囲である。カウンターには従来ＳＳＩを使用したものや、ページ全体をＣＧＩにして出力させるグラフィカルアクセスカウンターが用いられてきたが、近来はＨＴＭＬにｉｍｇタグで貼り付けるカウンターも見受けられる。これらの中から、任意のものを選択して設置するとよい。また日毎アクセス数を集計するシステムを同時に組み込むことで、前日のカウント数や今日のカウント数と言った具合に必要に応じたカウント数の集計も可能となるのである。
【０１０１】
【発明の効果】
而して本発明によってユーザがポスタのような情報表示部材に設けられた必須ＯＲ／ＡＮＤ任意の情報がインプットされた情報記録素子の情報を、移動体通信システムに備え付けられている入力手段を用いて読み取り、同じく移動体通信システムに備えつけられた記録手段に記録できるようになったので、従来のように紙と書き物を用いてメモ書きをする必要は無くなり、特に間違いやすい電話番号や場所の地図と言った情報や、長い文字量のインターネットに於けるＵＲＬやｅ−ｍａｉｌアドレスと言われる所謂ドメインの情報も簡単に記録することが出来るようになったのである。
【０１０２】
更に他の人が携帯する移動体通信システム　ＯＲ／ＡＮＤ　通信端末の機能を有するシステムに転送出来るようにしたり、構内情報通信網（ＬＡＮ）内から、ネット回線に接続することが出来るように構成したりするようにしたり、更にはＰＣ上或いは画像サーバに蓄積されたデジタル画像情報は、パソコンと接続されたプリンタから出力されるＰ．Ｐ．に限らず、携帯型記憶媒体であるＦＤやＭＤやＤＶＤなどの各種記録媒体に仮令えば地図であったり、写真であったり必要なデジタル画像情報をコピーできるようにしたから、デジタル画像情報の２次利用，３次利用を可能にしたのである。
【図面の簡単な説明】
【図１】情報表示部材に設けられた必須ＯＲ／ＡＮＤ任意の情報がインプットされた情報記録素子の情報を、移動体通信システムに備え付けられている入力手段を用いて読み取るシステムの概略フローチャート図
【図２】本発明にかかる読取りリーダを設けた移動体通信システムの一例図
【図３】本発明の全体構造を示す概略フローチャート図１
【図４】移動体通信システムに設けられた表示部において、ワイド機能を使用した場合の一例図
【図５】本発明の全体構造を示す概略フローチャート図２
【図６】ＩＣチップのメモリーの一例図
【図７】ＩＣチップ及びアンテナの関係一例図
【図８】ＰＣ上に表示されるメニュー画面の一例１
【図９】ＰＣ上に表示されるメニュー画面の一例２
【図１０】ＰＣ上に表示されるメニュー画面の一例３
【図１１】ＰＣ上に表示されるメニュー画面の一例４
【図１２】ＰＣ上に表示されるメニュー画面の一例５
【図１３】情報表示部材に設けられた必須ＯＲ／ＡＮＤ任意の情報がインプットされた情報記録素子にＩＣチップを用いた場合の一例図
【図１４】２次元バーコードの一例図
【符号の説明】
Ａ　情報表示部材
Ｂ　移動体通信システム
Ｄ　記録手段
Ｅ　表示部
Ｆ　システム
Ｇ　情報
Ｈ　サーバ
Ｉ　ＰＣ
Ｐ　データワード
Ｑ　検知手段
Ｒ　情報記録素子
Ｓ　ＩＣチップ
Ｔ　バーコード
Ｕ　アンテナ
Ｖ　リーダ機構
Ｗ　ワイド
Ｘ　メニュー画面
Ｙ　アイコン
Ｚ　シグナル部材
１　スイッチボタン
２　開始
３　読み取り
４　『情報が無い』旨の表示
５　『記録済み』の旨の表示
６　終了
７　文字情報
８　画像情報
９　音声情報
１０　初期画面
１１　発行
１２　入力画面
１３　完了
１４　画面
１５　ＯＫ
１６　画面
１７　　　ＯＫ
１８　ボタン
【図１】
2004129021.tif 000003
【図２】
2004129021.tif 000004
【図３】
2004129021.tif 000005
【図４】
2004129021.tif 000006
【図５】
2004129021.tif 000007
【図６】
2004129021.tif 000008
【図７】
2004129021.tif 000009
【図８】
2004129021.tif 000010
【図９】
2004129021.tif 000011
【図１０】
2004129021.tif 000012
【図１１】
2004129021.tif 000013
【図１２】
2004129021.tif 000014
【図１３】
2004129021.tif 000015
【図１４】
2004129021.tif 000016